(57)【要約】【課題】  高品位の携帯機器を提供する。【解決手段】  （ｉ）電極を備える第１基板と、（ｉｉ）第１基板に対向配置され、電極を備える第２基板と、（ｉｉｉ）第１基板の電極と第２基板の電極の間に配置され、銀を含有するエレクトロデポジション材料を含む電解質層とを備え、第１、第２基板の電極に印加する電圧によって、透明状態と非透明状態を電気的に切り替えることができるエレクトロデポジション素子を有する携帯機器を提供する。【選択図】  図２
2015055820.tif 000002
【特許請求の範囲】
【請求項１】
（ｉ）電極を備える第１基板と、（ｉｉ）前記第１基板に対向配置され、電極を備える第２基板と、（ｉｉｉ）前記第１基板の電極と前記第２基板の電極の間に配置され、銀を含有するエレクトロデポジション材料を含む電解質層とを備え、前記第１、第２基板の電極に印加する電圧によって、透明状態と非透明状態を電気的に切り替えることができるエレクトロデポジション素子
を有する携帯機器。
【請求項２】
前記携帯機器はスマートフォンであり、
前記エレクトロデポジション素子が表示面に配置されている請求項１に記載の携帯機器。
【請求項３】
前記携帯機器はスマートフォンであり、
前記エレクトロデポジション素子が表示面ではない位置に配置されている請求項１に記載の携帯機器。
【請求項４】
前記携帯機器は、機能が必要とされるときに、外部との間で光を透過させる必要がある複数の構成要素を含む撮像装置であり、
前記エレクトロデポジション素子は、複数の画素を備え、該画素ごとに、透明状態と非透明状態を電気的に切り替えることができ、
前記画素は、前記構成要素と外部との間に配置されている請求項１に記載の携帯機器。
【請求項５】
前記携帯機器は、ＬＥＤを備える照明装置であり、
前記エレクトロデポジション素子は、前記ＬＥＤと外部との間に配置される請求項１に記載の携帯機器。
【発明の詳細な説明】
【技術分野】
【０００１】
本発明は、エレクトロデポジション素子を備える携帯機器に関する。
【背景技術】
【０００２】
スマートフォンなど携帯端末の普及が著しい。スマートフォンは、たとえば液晶パネルや有機ＥＬパネルで構成される大きな表示画面を備えるものが中心であり、その外観にこれといった特徴がない。ボディカラーにより多少特徴づけられるものの、カラーリングされるのは側面や裏面であり、その色もユーザーの嗜好にあったものではなかった。使用状況に応じ、たとえばレジャー時とフォーマルな場面とでボディカラーを変えたいという要求に対しては対応が困難であった。
【０００３】
鏡付きスマートフォンへの要求も強いが、たとえば表示画面上に鏡を配置すれば表示を視認できず、かといって他の場所に配置するのは困難である。ミラーアプリのダウンロード数が少なくないのはこのためである。
【０００４】
携帯電話、デジタルスチルカメラ、デジタルビデオカメラなど携帯機器の照明光、補助光、ストロボ光の光源として、高輝度タイプの擬似白色ＬＥＤが多く使われている。これはたとえば青色発光する発光素子を黄色発光する蛍光体層で覆って、白色光を出射する発光装置である。
【０００５】
擬似白色ＬＥＤを光源としたストロボ等においては、蛍光体色（黄色）がユーザーに好まれないという問題がある。また、蛍光体色と携帯機器のボディカラーとのマッチングが悪く、デザイン性が著しく損なわれる場合がある。ユーザーに視認される蛍光体色を抑えるために、光源部の外観面を小さくしたり、フィルタ等で覆って目立たなくする工夫がなされているが、ＬＥＤが本来有する性能（光量、配光等）が損なわれるというデメリットが生じる。
【０００６】
ストロボ発光部の窓部分から発光部材を見えなくし、カメラ全体のデザインのバランスを崩さず、美観を損ねることのないストロボ発光装置付きカメラの発明が開示されている（たとえば、特許文献１参照）。
【０００７】
特許文献１に記載されたカメラは、ネガ型の液晶表示装置をストロボ発光部の前面に配置する構成を備え、たとえば蛍光体色の視認を防止することができる。
【０００８】
しかしながらネガ型の液晶表示装置には偏光板が用いられるため、たとえば透光状態における光透過率が５０％以下となり、ストロボ光のロスが大きい。また、遮光状態の液晶表示装置の色とカメラのボディカラーを一致させることは困難である。色付きの偏光板を使用しても、反射率が低いために暗く、彩度の低い色となることから、鮮やかなボディカラーと合わせることは難しい。また色付きの偏光板を用いると、ストロボ光が着色してしまい、カメラの撮像品位を著しく低下させる原因となる。
【０００９】
ストロボに限らず、レンズやセンサ（距離センサ、露出センサ等）部の色もカメラのボディカラーと調和させたいという要求がある。レンズ部には、通常、メカ式の簡易シャッタ（レンズカバー）が配置されるため、その要求を満たすことができるが、メカ式シャッタは故障が多く、また小型化、薄型化が困難である。
【００１０】
着色と非着色とを選択的に制御可能なパネルを備える撮影装置の発明が開示されている（たとえば、特許文献２参照）。この発明は、本願発明者らによってなされたもので、撮影装置本体の所定の機能が必要とされるとき、撮影装置本体と外部との間で光を透過させる必要がある部位に、パネルが配置される。パネルは、着色時の色を複数の色の中から選択できる素子、たとえばゲストホスト型液晶素子やエレクトロクロミック素子を用いて構成される。
【００１１】
エレクトロクロミック素子は、電圧の印加による電気化学的可逆反応（電解酸化還元反応）による物質の色変化現象を利用した非発光型素子である。
【００１２】
エレクトロクロミック材料（電圧が印加されると電気化学的な酸化または還元反応を起こし、それにより発色または消色等の変色を生じる材料）のうち、酸化または還元反応によって、材料の一部が、たとえば電極上に析出・堆積（エレクトロデポジション）、または、電極上から消失するものを、エレクトロデポジション材料と呼ぶ。また、エレクトロデポジション材料を用いた素子をエレクトロデポジション素子と呼ぶ。
【００１３】
銀を含有するエレクトロデポジション材料を含む電解質層を備え、たとえば高品質の鏡面状態を実現可能なエレクトロデポジション素子の発明が開示されている（たとえば、特許文献３参照）。特許文献２記載の発明においては、このエレクトロデポジション素子の使用は想定されていない。
【先行技術文献】
【特許文献】
【００１４】
【特許文献１】特開２００４−３７７３０号公報
【特許文献２】特開２００９−１６２８６１号公報
【特許文献３】特開２０１２−１８１３８９号公報
【発明の概要】
【発明が解決しようとする課題】
【００１５】
本発明の目的は、高品位の携帯機器を提供することである。
【００１６】
たとえば鏡としても使用可能なスマートフォン、表示面カラーやボディカラーを選択可能なスマートフォン、ボディカラーとの調和を乱すことなく、ストロボの蛍光体色を遮蔽する撮像装置、デザイン性の向上された撮像装置、ボディカラーを選択可能な撮像装置、デザイン性の向上された照明装置等を提供することである。
【課題を解決するための手段】
【００１７】
本発明の一観点によると、（ｉ）電極を備える第１基板と、（ｉｉ）前記第１基板に対向配置され、電極を備える第２基板と、（ｉｉｉ）前記第１基板の電極と前記第２基板の電極の間に配置され、銀を含有するエレクトロデポジション材料を含む電解質層とを備え、前記第１、第２基板の電極に印加する電圧によって、透明状態と非透明状態を電気的に切り替えることができるエレクトロデポジション素子を有する携帯機器が提供される。
【発明の効果】
【００１８】
本発明によれば、高品位の携帯機器を提供することができる。
【００１９】
たとえば鏡としても使用可能なスマートフォン、表示面カラーやボディカラーを選択可能なスマートフォン、ボディカラーとの調和を乱すことなく、ストロボの蛍光体色を遮蔽する撮像装置、デザイン性の向上された撮像装置、ボディカラーを選択可能な撮像装置、デザイン性の向上された照明装置等を提供することができる。
【図面の簡単な説明】
【００２０】
【図１】図１Ａ〜図１Ｃは、本願発明に使用可能なエレクトロデポジション素子の構成を示す概略的な断面図である。
【図２】図２Ａは、第１実施例によるスマートフォンを示す概略的な断面図であり、図２Ｂ、図２Ｃは、それぞれエレクトロデポジション素子２３の透過特性、反射特性を示すグラフである。
【図３】図３Ａは、第２実施例によるスマートフォンを示す概略的な断面図であり、図３Ｂは、ステップ電圧の印加に対するエレクトロデポジション素子２４の透過特性を示すグラフであり、図３Ｃは、装飾電極１３ｂに−２．５Ｖの一定電圧を印加したときのエレクトロデポジション素子２４の透過特性を示すグラフである。
【図４】図４Ａは、第３実施例によるスマートフォンを示す概略的な斜視図であり、図４Ｂは、変形例によるスマートフォンを示す概略的な断面図である。
【図５】図５Ａ、図５Ｂは、それぞれ第４実施例によるデジタルスチルカメラを示す概略的な平面図、断面図であり、図５Ｃは、エレクトロデポジション素子２５の画素ｐ１〜ｐ３の位置を示す概略的な平面図である。
【図６】図６Ａ及び図６Ｂは、第５実施例によるストロボを示す概略的な断面図である。
【発明を実施するための形態】
【００２１】
図１Ａ〜図１Ｃは、本願発明に使用可能なエレクトロデポジション素子の構成を示す概略的な断面図である。
【００２２】
図１Ａに示すエレクトロデポジション素子は、たとえば略平行に離間して対向配置された上側基板１０ａ、下側基板１０ｂ、及び、両基板１０ａ、１０ｂ間に配置された電解質層１５を含んで構成される。
【００２３】
上側基板１０ａ、下側基板１０ｂは、それぞれ上側透明基板１１ａ、下側透明基板１１ｂ、及び、各透明基板１１ａ、１１ｂ上に形成された上側透明電極１２ａ、下側透明電極１２ｂを含む。透明電極１２ａ、１２ｂは、表面が平滑な電極である。
【００２４】
電解質層１５は、上側基板１０ａと下側基板１０ｂの間の、シール部１４の内側領域に配置され、銀を含有するエレクトロデポジション材料（たとえばＡｇＮＯ３）を含む。
【００２５】
図１Ａに示すエレクトロデポジション素子は、電極１２ａ、１２ｂに印加する直流電圧によって、透明状態と非透明状態を電気的に切り替えることができる。
【００２６】
一例として、下側透明電極１２ｂをアースし、上側透明電極１２ａに−２．５Ｖの直流電圧を印加すると、電解質層１５に含まれる銀イオンが、上側透明電極１２ａ（負電圧側となる電極）近傍で金属の銀に変化し、電極１２ａ上に析出・堆積して、銀薄膜（鏡面）が形成される。銀薄膜は鏡面として作用し、エレクトロデポジション素子に入射する光を正反射する。銀薄膜は、印加電圧の解除により時間の経過とともに、または反対極性の電圧の印加により、上側透明電極１２ａ上から消失する。電圧無印加時、透明電極１２ａ、１２ｂ上に銀が析出していないエレクトロデポジション素子に入射する光は、これを透過する。
【００２７】
すなわち図１Ａに示すエレクトロデポジション素子は、直流電圧の印加−無印加により、ミラー状態（反射状態）と透明状態を可換的に実現するミラーデバイスとして用いることができる。
【００２８】
図１Ｂに示すエレクトロデポジション素子は、下側透明基板１１ｂ上に配置される電極が、下側透明装飾電極（粒子修飾電極）１３ｂである点で、図１Ａの素子と異なる。下側透明装飾電極１３ｂは、たとえば透明導電材料、一例としてＩＴＯの粒子が電極表面に固定され、比較的大きな凹凸が形成された電極である。
【００２９】
図１Ｂに示すエレクトロデポジション素子も、たとえば電極１２ａ、１３ｂ間に直流電圧を印加して駆動する。一例として、下側透明装飾電極１３ｂをアースし、上側透明電極１２ａに−２．５Ｖの直流電圧を印加すると、エレクトロデポジション材料（たとえばＡｇＮＯ３）に含まれる銀が、電極１２ａ上に析出・堆積して、銀薄膜（鏡面）が形成される。
【００３０】
このため図１Ａに示す素子と同様に、直流電圧の印加−無印加により、ミラー状態と透明状態を可換的に実現するミラーデバイスとして用いることができる。
【００３１】
また、たとえば下側透明装飾電極１３ｂをアースし、上側透明電極１２ａに＋２．５Ｖの直流電圧を印加すると、電解質層１５に含まれる銀が、下側透明装飾電極１３ｂ上に析出・堆積する。比較的大きな凹凸を表面に有する下側透明装飾電極１３ｂ上に析出した銀は入射光を乱反射し、エレクトロデポジション素子の下側透明装飾電極１３ｂ形成位置は黒く視認される（黒状態）。なお、下側透明装飾電極１３ｂ上に析出した銀は、印加電圧の解除により時間の経過とともに、または反対極性の電圧の印加により、電極１３ｂ上から消失し、黒状態が解除される。
【００３２】
更に、ステップ電圧を印加することで着色状態を実現することもできる。たとえば下側透明装飾電極１３ｂをアースし、上側透明電極１２ａに−３．０Ｖの直流電圧（第１ステップ電圧）を１００ｍｓｅｃ印加した後に、−１．５Ｖの直流電圧（第２ステップ電圧）を５ｓｅｃ印加すると、エレクトロデポジション素子の上側透明電極１２ａ形成位置は赤色に着色する。
【００３３】
また、ステップ電圧の印加態様によって、異なる色に着色することができる。たとえば下側透明装飾電極１３ｂをアースし、上側透明電極１２ａに−３．０Ｖの直流電圧（第１ステップ電圧）を１００ｍｓｅｃ印加した後に、−１．５Ｖの直流電圧（第２ステップ電圧）を２０ｓｅｃ印加すると、エレクトロデポジション素子の上側透明電極１２ａ形成位置は青色に着色する。
【００３４】
赤色または青色の着色は、電解質層１５に含まれる銀が上側透明電極１２ａ上に析出することに起因して生じる。赤色もしくは青色は、電圧無印加状態を継続することで時間の経過とともに、または反対極性の電圧の印加により消色する。なお、第２ステップ電圧を断続的に印加することで、着色状態を維持することができる。
【００３５】
図１Ｂに示すエレクトロデポジション素子は、電極１２ａ、１３ｂに電圧を印加することで、透明状態と非透明状態を電気的に切り替えることができる。また電圧の印加態様によって、異なる非透明状態（ミラー状態、黒状態、着色状態）を実現することが可能である。
【００３６】
図１Ｃに示すエレクトロデポジション素子は、上側、下側透明基板１１ａ、１１ｂ上に配置される電極が、ともに装飾電極（上側透明装飾電極１３ａ、下側透明装飾電極１３ｂ）である点で、図１Ａ、図１Ｂの素子と異なる。
【００３７】
図１Ｃに示すエレクトロデポジション素子は、比較的大きな凹凸が表面に形成された電極１３ａ、１３ｂを備えるため、電極１３ａ、１３ｂに印加する直流電圧によって、透明状態と非透明状態（黒状態）を電気的に切り替えることができる。
【００３８】
黒状態は、たとえば下側透明電極１３ｂをアースし、上側透明電極１３ａに＋２．５Ｖまたは−２．５Ｖの直流電圧を印加することで実現され、エレクトロデポジション素子の装飾電極１３ａ、１３ｂ形成位置のいずれかが黒く視認される。黒状態は、印加電圧の解除により時間の経過とともに、または反対極性の電圧の印加により、消失する。
【００３９】
図１Ｃに示すエレクトロデポジション素子は、直流電圧の印加−無印加により、黒状態と透明状態を可換的に実現するバイスとして用いることができる。
【００４０】
図２Ａは、第１実施例による携帯機器（スマートフォン）を示す概略的な断面図である。第１実施例によるスマートフォンは、液晶セル２１、タッチパネル２２、エレクトロデポジション素子２３を、下方からこの順に備え、上方に表示面が規定される。エレクトロデポジション素子２３は、たとえば図１Ａに構成を示したエレクトロデポジション素子である。
【００４１】
エレクトロデポジション素子２３は、たとえば以下のように作製した。
【００４２】
ガラスまたはフィルム基板である透明基板（上側透明基板１１ａ、下側透明基板１１ｂ）を準備し、透明基板１１ａ、１１ｂ上に、ＩＴＯなどで透明導電膜（上側透明電極１２ａ、下側透明電極１２ｂ）を形成する。ＩＴＯ膜は、スパッタ、蒸着などで成膜することができる。成膜は、表面が平滑なＩＴＯ膜を得られる条件で行う。エレクトロデポジション素子２３の透明電極１２ａ、１２ｂは、たとえばＩＴＯベタ電極とするが、パターニング電極とすることもできる。
【００４３】
上側透明基板１１ａと下側透明基板１１ｂを、電極１２ａ、１２ｂが対向するように配置してセル化を行った。
【００４４】
たとえば２０μｍ〜数百μｍ径、第１実施例においては５００μｍ径のギャップコントロール剤を、基板１１ａ、１１ｂの一方上に、一例として１個〜３個／ｍｍ２となるように散布する。ギャップコントロール剤の径に応じ、たとえば表示に影響を与えにくい散布量とすることが望ましい。なお、実施例による携帯機器に使用されるエレクトロデポジション素子においては、多少ギャップムラがあっても表示等への影響は少ないため、ギャップコントロール剤の散布量の重要性は高くない。また第１実施例においては、ギャップコントロール剤を用いたギャップコントロールを行うが、リブなどの突起によってギャップコントロールを行うことも可能である。更に、小型セルの場合は、シール部分に所定厚さのフィルム状スペーサを配置してギャップを制御してもよい。
【００４５】
基板１１ａ、１１ｂの他方上に、メインシールパターンを形成した。第１実施例では、紫外線＋熱硬化タイプのシール材を用いた。シール材として、光硬化タイプ、または熱硬化タイプを使用してもよい。なお、ギャップコントロール剤の散布とメインシールパターンの形成は同一基板側に行ってもよい。
【００４６】
次に、エレクトロデポジション材料を含む電解液を基板１１ａ、１１ｂ間に封入した。
【００４７】
第１実施例では、ＯＤＦ工法を用いた。基板１１ａ、１１ｂの一方上に、エレクトロデポジション材料を含む電解液を適量滴下する。滴下方法として、ディスペンサーやインクジェットを含む各種印刷方式が適用可能である。ここではディスペンサーを用いた。なお、前述のシール材は、用いる電解液に耐えるシール材料（腐食されないシール材）であることが好ましい。
【００４８】
真空中で、基板１１ａ、１１ｂの重ね合わせを行った。大気中、もしくは窒素雰囲気中で行ってもよい。
【００４９】
紫外線を、たとえば２１Ｊ／ｃｍ２のエネルギ密度でシール材に照射し、シール材を硬化して、シール部１４を形成した。なお、紫外線がシール材のみに照射されるように、ＳＵＳマスクを使用した。
【００５０】
エレクトロデポジション材料を含む電解液は、エレクトロデポジション材料（ＡｇＮＯ３等）、電解質（ＴＢＡＢｒ等）、メディエータ（ＣｕＣｌ２等）、支持電解質（ＬｉＢｒ等）、溶媒（ＤＭＳＯ; dimethyl sulfoxide 等）、ゲル化用ポリマー（ＰＶＢ; polyvinyl butyral 等）などにより構成される。第１実施例においては、電解質をＴＢＡＢｒとした。溶媒であるＤＭＳＯ中に、エレクトロデポジション材料としてＡｇＮＯ３を５０ｍＭ添加し、ＬｉＢｒを２５０ｍＭ支持電解質として加え、メディエータとしてＣｕＣｌ２を１０ｍＭ添加した。そしてホストポリマーとしてＰＶＢを１０ｗｔ％加え、ゲル状（ゼリー状）の電解質層１５とした。
【００５１】
エレクトロデポジション材料には、たとえば銀を含むＡｇＮＯ３、ＡｇＣｌＯ４、ＡｇＢｒ等を使用することができる。
【００５２】
支持電解質は、エレクトロデポジション材料の酸化還元反応等を促進するものであれば限定されず、たとえばリチウム塩（ＬｉＣｌ、ＬｉＢｒ、ＬｉＩ、ＬｉＢＦ４、ＬｉＣｌＯ４等）、カリウム塩（ＫＣｌ、ＫＢｒ、ＫＩ等）、ナトリウム塩（ＮａＣｌ、ＮａＢｒ、ＮａＩ等）を好適に用いることができる。支持電解質の濃度は、たとえば１０ｍＭ以上１Ｍ以下であることが好ましいが、特に限定されるものではない。
【００５３】
溶媒は、エレクトロデポジション材料等を安定的に保持することができるものであれば限定されない。水や炭酸プロピレン等の極性溶媒、極性のない有機溶媒、更にはイオン性液体、イオン導電性高分子、高分子電解質等を使用することが可能である。具体的には、ＤＭＳＯの他、炭酸プロピレン、Ｎ，Ｎ−ジメチルホルムアミド、テトラヒドロフラン、アセトニトリル、ポリビニル硫酸、ポリスチレンスルホン酸、ポリアクリル酸等を好適に用いることができる。
【００５４】
本願発明者らが、エレクトロデポジション素子２３を観察したところ、初期状態ではほぼ透明であった。わずかに黄みを帯びても見えたが、これはメディエータであるＣｕＣｌ２の色であると思われる。メディエータとして異なる材料を使用する、または、セル厚を薄くすることで無色透明の電解質層１５とすることができる。
【００５５】
図２Ｂ、図２Ｃは、それぞれエレクトロデポジション素子２３の透過特性、反射特性を示すグラフである。両グラフの横軸は、透過または反射する光の波長を単位「ｎｍ」で示し、縦軸は、透過率、反射率を単位「％」で示す。グラフには、透過率、反射率がエレクトロデポジション素子２３への電圧印加時間によって変化する様子を示した。
【００５６】
図２Ｂに示すグラフから、エレクトロデポジション素子２３の透過特性は、波長によらずほぼフラットであることがわかる。
【００５７】
図２Ｃに示すグラフから、数秒の電圧印加でエレクトロデポジション素子２３をミラー状態にすることができることがわかる。図２Ｃによると、約４秒でハーフミラーのような状態となり、その後徐々にミラー状態となる。
【００５８】
エレクトロデポジション素子２３を、スマートフォンのタッチパネル２２上に配置し、第１実施例による携帯機器（スマートフォン）を作製した。
【００５９】
第１実施例によるスマートフォンにおいては、エレクトロデポジション素子２３に直流電圧を印加することで、エレクトロデポジション素子２３の透明状態とミラー状態を切り替えることができる。
【００６０】
たとえば、通常は電圧無印加とし、エレクトロデポジション素子２３を透明状態で使用して、液晶セル２１を用いて行われる表示を視認する。直流電圧を印加しエレクトロデポジション素子２３をミラー状態とすれば、スマートフォンを鏡として使用することができる。図２Ｂ、図２Ｃのグラフからわかるように、エレクトロデポジション素子２３をミラー状態としたスマートフォンは、液晶セル２１を用いて行われる表示を、表示光の波長によらず遮蔽し、明るい鏡として利用可能である。
【００６１】
図３Ａは、第２実施例による携帯機器（スマートフォン）を示す概略的な断面図である。第２実施例によるスマートフォンは、液晶セル２１、エレクトロデポジション素子２４、タッチパネル２２を、下方からこの順に備え、上方に表示面が規定される。エレクトロデポジション素子２４は、たとえば図１Ｂに構成を示したエレクトロデポジション素子である。
【００６２】
エレクトロデポジション素子２４は、たとえば以下のように作製した。
【００６３】
ガラスまたはフィルム基板である透明基板（上側透明基板１１ａ、下側透明基板１１ｂ）を準備し、透明基板１１ａ、１１ｂ上に、ＩＴＯなどで透明導電膜を形成する。ＩＴＯ膜は、スパッタ、蒸着などで成膜することができる。成膜は、表面が平滑なＩＴＯ膜を得られる条件で行う。なお、ＩＴＯ膜付きの透明基板１１ａ、１１ｂを準備してもよい。
【００６４】
上側透明基板１１ａ上のＩＴＯ膜は、たとえばＩＴＯベタ電極（上側透明電極１２ａ）として使用する。パターニング電極とすることもできる。
【００６５】
下側透明基板１１ｂのＩＴＯ膜上には、たとえばＩＴＯ粒子分散液（３０ｗｔ％）を、５００ｒｐｍで５秒間、１５００ｒｐｍで１５秒間スピンコートした後、２５０℃で６０分間焼成し、下側透明装飾電極（粒子修飾電極）１３ｂを形成する。装飾電極１３ｂは、ＩＴＯ粒子が電極表面に固定され、比較的大きな凹凸が形成された電極である。
【００６６】
なお、ＩＴＯ粒子分散液に含まれるＩＴＯ粒子の粒子径を、動的散乱光法(dynamic light scattering; DLS)を用いて測定したところ、１００ｎｍ未満であった。装飾電極１３ｂ表面の凹凸の高低差は、１００ｎｍ〜５００ｎｍ程度、具体的には３３０ｎｍ程度となる。
【００６７】
上側透明基板１１ａと下側透明基板１１ｂを、電極１２ａ、１３ｂが対向するように配置してセル化を行った。セル化に当たっては、ギャップコントロール剤を用いず、厚さ５００μｍのテフロンスペーサを使用した。テフロンスペーサはシール部１４を構成する。
【００６８】
次に、エレクトロデポジション材料を含む電解液を基板１１ａ、１１ｂ間に封入し、電解質層１５を形成した。電解液の構成は、第１実施例と同一とした。
【００６９】
第２実施例でも、ＯＤＦ工法を用いた。基板１１ａ、１１ｂの一方上に、エレクトロデポジション材料を含む電解液を適量滴下する。滴下方法として、ディスペンサーやインクジェットを含む各種印刷方式が適用可能である。ここではディスペンサーを用いた。
【００７０】
真空中で、基板１１ａ、１１ｂの重ね合わせを行った。大気中、もしくは窒素雰囲気中で行ってもよい。
【００７１】
なお電解液は、真空注入、毛細管注入等を用いて注入することも可能である。
【００７２】
図３Ｂは、ステップ電圧の印加に対するエレクトロデポジション素子２４の透過特性を示すグラフである。グラフの横軸は、透過する光の波長を単位「ｎｍ」で示し、縦軸は、透過率を単位「％」で示す。グラフには、エレクトロデポジション素子２４への第２ステップ電圧の印加時間によって、透過率が変化する様子を示した。なお、第１ステップ電圧の電圧値は−３．０Ｖ（１００ｍｓｅｃ）、第２ステップ電圧の電圧値は−１．５Ｖとした。
【００７３】
本グラフによれば、図１Ｂを参照して説明したように、たとえば下側透明装飾電極１３ｂをアースし、上側透明電極１２ａに−３．０Ｖの直流電圧（第１ステップ電圧）を１００ｍｓｅｃ印加した後に、−１．５Ｖの直流電圧（第２ステップ電圧）を５ｓｅｃ間印加すると、エレクトロデポジション素子２４の上側透明電極１２ａ形成位置は赤色に着色することがわかる。また、たとえば下側透明装飾電極１３ｂをアースし、上側透明電極１２ａに−３．０Ｖの直流電圧（第１ステップ電圧）を１００ｍｓｅｃ印加した後に、−１．５Ｖの直流電圧（第２ステップ電圧）を２０ｓｅｃ間印加すると、エレクトロデポジション素子２４の上側透明電極１２ａ形成位置は青色に着色することがわかる。
【００７４】
図３Ｃは、下側透明装飾電極１３ｂに−２．５Ｖの一定電圧を印加したときのエレクトロデポジション素子２４の透過特性を示すグラフである。グラフの横軸は、透過する光の波長を単位「ｎｍ」で示し、縦軸は、透過率を単位「％」で示す。グラフには、エレクトロデポジション素子２４への直流電圧の印加時間によって、透過率が変化する様子を示した。
【００７５】
下側透明装飾電極１３ｂ側が負となるように直流電圧を印加することで、エレクトロデポジション素子２４の黒状態を実現可能であることがわかる。
【００７６】
更に、エレクトロデポジション素子２４の上側透明電極１２ａに−２．５Ｖの一定電圧を印加した場合は、図２Ｂ、図２Ｃに示した特性と同様の透過特性、反射特性が得られた。
【００７７】
これらより、エレクトロデポジション素子２４は、電圧の印加態様によって、異なる非透明状態（ミラー状態、黒状態、着色状態）を実現することが可能な素子であることが確認された。
【００７８】
エレクトロデポジション素子２４を、スマートフォンの液晶セル２１とタッチパネル２２の間に配置し、第２実施例による携帯機器（スマートフォン）を作製した。
【００７９】
第２実施例によるスマートフォンにおいては、エレクトロデポジション素子２４に電圧を印加することで、エレクトロデポジション素子２４の透明状態と非透明状態を切り替えることができる。
【００８０】
たとえば、通常は電圧無印加とし、エレクトロデポジション素子２４を透明状態で使用して、液晶セル２１を用いて行われる表示を視認する。上側透明電極１２ａ側が負となるように一定電圧を印加し、エレクトロデポジション素子２４をミラー状態とすれば、スマートフォンを鏡として使用することができる。
【００８１】
更にエレクトロデポジション素子２４は、下側装飾電極１３ｂ側が負となるように一定電圧を印加すれば黒状態を実現し、上側透明電極１２ａ側が負となるようにステップ電圧を印加すれば着色状態を実現する。着色（青色、赤色）は、第２ステップ電圧の印加時間によって制御可能である。このため、第２実施例によるスマートフォンにおいては、エレクトロデポジション素子２４の色を変えることにより、たとえばユーザーの嗜好に合わせた特徴を与えることができる。また、使用状況や気分に応じた表示面カラーとすることが可能である。
【００８２】
図４Ａは、第３実施例による携帯機器（スマートフォン）を示す概略的な斜視図である。たとえば第２実施例においては、エレクトロデポジション素子２４（図１Ｂに構成を示した素子）をスマートフォンの表示面２６に配置する例を示したが、第３実施例においては、エレクトロデポジション素子２４を表示面２６ではない位置、すなわちボディ部２７に配置する。
【００８３】
第３実施例においては、スマートフォンの曲面部分もエレクトロデポジション素子２４で覆われる。このため透明基板１１ａ、１１ｂには、たとえばフィルム基板を使用する。
【００８４】
第３実施例によるスマートフォンは、電圧の印加態様によって、使用状況や気分に応じたボディカラーを選択することができる。また、スマートフォンを鏡として使用可能である。
【００８５】
なお、エレクトロデポジション素子２４にかえて、第１実施例で用いたエレクトロデポジション素子２３（図１Ａに構成を示した素子）を使用してもよい。鏡として使用できるほか、鏡面を利用したメタリックカラーと元のボディカラーを選択可能である。
【００８６】
また、表示面２６とボディ部２７の双方に、たとえばエレクトロデポジション素子２４を配置することもできる。
【００８７】
図４Ｂに、変形例による携帯機器（スマートフォン）を示す。変形例においては、エレクトロデポジション素子２４を、ボディ部２７全面ではなく一部のみ、たとえばスマートフォンの背面のみに配置する。変形例によるスマートフォンは、ボディ部２７の一部のみのカラーを選択することができる。また、スマートフォンを鏡として使用可能である。
【００８８】
図５Ａ、図５Ｂは、それぞれ第４実施例による携帯機器（デジタルスチルカメラ）を示す概略的な平面図、断面図であり、図５Ｃは、エレクトロデポジション素子２５の画素ｐ１、ｐ２、ｐ３の位置を示す概略的な平面図である。第４実施例によるデジタルスチルカメラは、たとえばエレクトロデポジション素子２５を備える点に特徴を有し、エレクトロデポジション素子２５は、たとえば電極１２ａ、１３ｂのパターニングにおいて、第２実施例のエレクトロデポジション素子２４と相違する。
【００８９】
図５Ａ及び図５Ｂに示すように、第４実施例によるデジタルスチルカメラは、ストロボ３１、たとえば測距用赤外センサであるセンサ３２、及びレンズ（対物レンズ）３３を含む。ストロボ３１、センサ３２、レンズ３３は、その機能が必要とされるとき、外部との間で光を透過させる必要があるカメラの構成要素である。
【００９０】
図５Ｃに示すように、エレクトロデポジション素子２５は、複数の画素ｐ１〜ｐ３を備える。画素ｐ１〜ｐ３は、エレクトロデポジション素子２５を基板１０ａ、１０ｂ法線方向から見たとき、電極１２ａ、１３ｂが重なる位置に規定される。画素ｐ１〜ｐ３ごとに、透明状態と非透明状態（ミラー状態、黒状態、着色状態）を独立に制御可能である。
【００９１】
画素ｐ１、ｐ２、ｐ３は、それぞれストロボ３１、センサ３２、レンズ３３と対応する位置（ストロボ３１、センサ３２、レンズ３３と外部との間）、一例としてカメラの表面近傍に配置される。
【００９２】
カメラの電源がＯＦＦの場合、エレクトロデポジション素子２５には、たとえば画素ｐ１〜ｐ３部分がカメラの筺体の色（ボディカラー）と同じ色になるように電圧が印加される。電圧を印加しない他の部分は、透明状態である。このため、ストロボ３１、センサ３２、レンズ３３が外部から視認されず、かつ、カメラ全体の色の調和が図られる。
【００９３】
カメラの電源がＯＮされた場合、エレクトロデポジション素子２５には、たとえば画素ｐ１部分がカメラの筺体の色と同じ色になるように電圧を印加し、他の部分には電圧を印加しない。これによりセンサ３２、レンズ３３が外部から視認され、また、これらの機能を使用することができるようになる。一方、ストロボ３１は外部から視認されず、かつ、ストロボ３１対応位置とカメラ全体の色の調和が図られる。
【００９４】
ストロボ３１を使用して撮影を行う場合、画素ｐ１部分の印加電圧を解除する。エレクトロデポジション素子２５は透明状態となり、フラッシュ撮影が可能となる。
【００９５】
第４実施例によるデジタルスチルカメラは、ユーザーに好まれないストロボ３１の蛍光体色を、ボディカラーとの調和を乱すことなく遮蔽することができる。ストロボ光のロスが少なく、配向性能も損なわない。更に、ストロボ３１、センサ３２、レンズ３３を、配設位置がわからない程度にまで遮蔽することができ、デザイン性を向上させることが可能である。なお、使用状況やユーザーの嗜好、気分に応じて、画素ｐ１〜ｐ３部分をボディカラーと異なる色にすることもできる。
【００９６】
エレクトロデポジション素子は偏光板を使用しないため、鮮やかなボディカラーと調和させることが可能である。またメカ式でないため、デジタルスチルカメラの小型化、薄型化を実現することができる。第４実施例によるデジタルスチルカメラは、振動やノイズの少ない、信頼性の高いカメラである。
【００９７】
エレクトロデポジション素子２５は、ボディ全面に配置してもよい。ボディカラーを選択可能な撮像装置とすることができる。
【００９８】
また、エレクトロデポジション素子２５の電極１２ａ、１３ｂは、ストロボ３１、センサ３２、レンズ３３に対応した位置にパターニングされることになるが、それぞれの位置に延びる引き回し線も同時に形成される。そこで、たとえば電極１２ａの引き回し線部分と重ならないように電極１３ｂを形成する。電極１２ａの引き回し線部分上に絶縁膜を形成すれば、電極１２ａの引き回し線部分と電極１３ｂを重ねてもよい。電極１２ａの引き回し線部分上に絶縁膜を形成する場合は、更に、その絶縁膜上に他の電極を形成するなどして、パターニングされた形状とその周囲とを独立に制御してもよい。
【００９９】
図６Ａ及び図６Ｂは、第５実施例による携帯機器（ストロボ）を示す概略的な断面図である。図６Ａに示すように、第５実施例によるストロボは、白色ＬＥＤ４１、及び、たとえば第２実施例に用いたエレクトロデポジション素子２４を備える。白色ＬＥＤ４１は、青色発光する発光素子を黄色発光する蛍光体層で覆う構成を有し、白色光を出射する。エレクトロデポジション素子２４は、白色ＬＥＤ４１の光出射面（白色ＬＥＤ４１と外部との間）に配置される。
【０１００】
第５実施例によるストロボは、不使用時、たとえばストロボの筺体の色（ボディカラー）とエレクトロデポジション素子２４の色が同一となるように、エレクトロデポジション素子２４に電圧を印加する。このため、白色ＬＥＤ４１の蛍光体色が外部から視認されず、かつ、ストロボの外観色の調和が図られる。
【０１０１】
ストロボを使用するときは、印加電圧を解除する。エレクトロデポジション素子２４を透明状態とし、図６Ｂに示すように、ストロボ光を出射可能とする。
【０１０２】
第５実施例によるストロボは、白色ＬＥＤ４１の性能を損なわず、デザイン性を向上したストロボである。
【０１０３】
なお、たとえばストロボの筺体の色が黒である場合、図１Ｃに示した構成のエレクトロデポジション素子を使用してもよい。
【０１０４】
以上、実施例等に沿って本発明を説明したが、本発明はこれらに限定されるものではない。
【０１０５】
たとえば、実施例においてはゲル状の電解質層としたが、銀の錯体を含む液体状の電解液を用いてもよい。電解質層は、たとえばエレクトロデポジション材料を含有する電解質液や電解質膜を含んで構成される。
【０１０６】
また、ＴＦＴなどのアクティブ素子を含むエレクトロデポジション素子を用いてもよい。
【０１０７】
更に、第１実施例によるスマートフォンにおいては、液晶セル２１、タッチパネル２２、エレクトロデポジション素子２３を、下方からこの順に配置したが、たとえば第２実施例（図３Ａ参照）と同様に、液晶セル２１、エレクトロデポジション素子２３、タッチパネル２２を、下方からこの順に配置し、上方に表示面を規定するスマートフォンとすることもできる。
【０１０８】
また、第１及び第２実施例によるスマートフォンは、液晶セル２１を用いる構成としたが、有機ＥＬ素子を使用してもよい。
【０１０９】
更に、第４実施例としてデジタルスチルカメラをあげたが、カメラ搭載のスマートフォン、デジタルビデオカメラなど、他の撮像装置にも適用可能である。
【０１１０】
また、第５実施例としてストロボをあげたが、広くカメラ用照明装置、照明装置一般に利用することができる。
【０１１１】
更に、携帯機器のデザイン性向上は、エレクトロデポジション素子の電極のパターニング（画素形状の設計）によって実現してもよい。透明状態と非透明状態を切り替え可能な領域の形状を様々に設計することにより、多様な意匠表現を行うことができる。
【０１１２】
なお、エレクトロデポジション素子上に反射防止膜を配置することも可能である。
【０１１３】
その他、種々の変更、改良、組み合わせ等が可能なことは当業者には自明であろう。
【産業上の利用可能性】
【０１１４】
スマートフォン、タブレット、ノートパソコン、撮像装置（デジタルスチルカメラ、デジタルビデオカメラなど）、カメラ用照明装置（ストロボなど）、照明装置一般、ゲーム機、時計、万歩計（登録商標）等、様々な携帯機器に好適に利用することができる。たとえば各携帯機器の筺体にエレクトロデポジション素子を取り付ける。エレクトロデポジション素子配設位置における光透過率、反射率、配色を制御し、商品価値を向上させることが可能である。
【符号の説明】
【０１１５】
１０ａ  上側基板
１０ｂ  下側基板
１１ａ  上側透明基板
１１ｂ  下側透明基板
１２ａ  上側透明電極
１２ｂ  下側透明電極
１３ａ  上側透明装飾電極
１３ｂ  下側透明装飾電極
１４  シール部
１５  電解質層
２１  液晶セル
２２  タッチパネル
２３、２４、２５  エレクトロデポジション素子
２６  表示面
２７  ボディ
３１  ストロボ
３２  センサ
３３  レンズ
４１  白色ＬＥＤ
ｐ１〜ｐ３  画素
【図１】
2015055820.tif 000003
【図２】
2015055820.tif 000004
【図３】
2015055820.tif 000005
【図４】
2015055820.tif 000006
【図５】
2015055820.tif 000007
【図６】
2015055820.tif 000008